(57)【特許請求の範囲】
【請求項１】
入浴時に使用する浴用浮遊体であって、該浴用浮遊体の外観形状は概略球形であり、入浴時は左右の両手で当該浴用浮遊体を挟み持って入浴するものであり、当該浴用浮遊体には左右の両手の指及び掌が引っかかる引っ掛かり部が形成されており、該左右の両手の指及び掌が引っかかる引っ掛かり部は、前記浴用浮遊体の外表面に左右両手の手形形状凹部によって形成され、該左右両手の手形形状凹部は指の引っ掛かり凹部と掌の引っ掛かり凹部とが形成され、さらに指と掌が跨って安定する凸部が形成されており、前記浴用浮遊体の外表面の手形形状凹部に左右の両手を引っ掛けることにより、当該浴用浮遊体の浮力により浴槽内で両手を湯面より上に出しておくことを特徴とする浴用浮遊体。
【発明の詳細な説明】
【技術分野】
【０００１】
本発明は、浴用の浮遊体に関し、特に、浮力により浴槽内で両手を湯面より上に出しておくために使用する浴用浮遊体に関する。
【０００２】
特に、本発明の浴用浮遊体は、浮力により両手を湯面より上に出して比較的高温の温湯に長時間の入浴を可能にするために、該浴用浮遊体に指の引っ掛かり部を形成したものである。
【０００３】
具体的には、本発明は、浴用のボールに関し、特に、浮力により浴槽内で両手を湯面より上に出しておくための浴用ボールに関する。これにより、入浴時に両手を湯面より上に出して比較的高温の温湯での長時間入浴を可能にするものである。
【背景技術】
【０００４】
健康維持のために入浴に効果があることは広く知られており、日本では古来より湯治という習慣もあった。しかし、サウナは別であるが、一般的には低温での入浴が良いと言われ、高温入浴では心臓に影響を与えないように半身浴が良いとも言われている。
【０００５】
例えば、非特許文献１には、高温の長時間入浴については、「長時間の入浴により、温かい血液が頚動脈を経て脳内を温め過ぎると、のぼせが起こります。意識を失って溺れたり、怪我をするので高温・長時間入浴は危険です。」として注意を喚起している。
【０００６】
しかし、高温の入浴を好む人もあり、非特許文献２では、「私もちょっと熱めのほうが好きです。肩までは入ると水圧の関係で体に負担がかかると聞いたので半身浴で肩に温かいタオルをかけて入ってます。汗もたっぷりかきますよ。睡眠不足とか病み上がりの時はあまり長く入り続けるとのぼせますので調子を見ながら３〜５分くらいで出たり入ったり何度もしてます。」と紹介され、やはり高温では短時間の入浴や半身浴を推奨している。
【０００７】
さらに、非特許文献３には、目的別の健康入浴法として、肉体的疲労回復を目的としては「スポーツや仕事による筋肉疲労を回復するためには高温長時間浴をおこないます。４３〜４４℃の熱めの湯に約１０分入り疲れをとります。強めのシャワーをあてるのも効果的です。充分な睡眠時間も心がけましょう。」として肉体的疲労回復には高温長時間浴が適していることを紹介している。それにしても入浴時間は１０分程度が限界であり、これを長時間といえば長時間であるが２０分、３０分、４０分、それ以上という長時間ではない。
【０００８】
比較的高温（４２〜４３℃）の温湯に長時間（短時間の人でも１０〜２０分、多くの場合は３０〜４０分、長い人では１時間程度）つかることができれば、身体の芯まで暖めることが可能で、それにより本来人間が有している自然治癒力を高めることができ、肩こり、冷え性、夜尿症等の改善には良い効果を発揮するものである。しかしながら、熱湯好きの江戸っ子も烏の行水が当たり前のように言われ、一般的には高温の湯に長時間つかっていることは難しい。このように高温の湯に長時間つかっているのが難しい理由には、手を含めて肩より下の身体全体を高温の湯の中に長時間つけておこうとするからであり、上記非特許文献１で指摘するように「温かい血液が頚動脈を経て脳内を温め過ぎると、のぼせが起こる」ものである。別の言い方をすれば、両手を温湯に沈める通常の入浴方法により身体の芯まで暖めようとしても、高温の血液が循環することにより脳内までも温めてしまい、人間が本来有している「気」を充分に高めるまでに身体の芯を暖めることができないものである。
【０００９】
以上のような問題を防止しようとする特許文献も公開されている。例えば、特開２００３−１０６６５０号公報（特許文献１）には、「一般的に入浴温度とその身体的効果の関係として知られているところでは、３８℃以下では自律神経の副交感神経を刺激して脈拍数を落とし血圧も低下させる。したがって、この程度の湯温で比較的長い時間の半身浴は体に対して鎮静的に働くため、神経系の興奮を抑えることからリラックスすることができる。逆に４２℃以上の高温での入浴は短時間であれば交感神経を刺激することによりスッキリとしたリフレッシュ効果を与えることができる反面、脈拍数が増えるとともに血管が収縮して血圧が急激に上昇するため、心臓や血圧に対して大きな負担を与えてしまう。またその中間である３８℃から４２℃は一般的に行われる入浴の湯温であるが長時間入浴した場合にはやはり温熱や水圧により使用者の身体に負担がかかり、結果としてのぼせて気分が悪くなるという症状を起こすことがある。これに対して、通常の入浴において入浴者は、湯温は熱めにするが短時間で浴槽から出ようなどと入浴時間で制限をかけたり、湯温が熱く感じるので水を浴槽に供給して湯温を下げようなどと湯温調節で制限をかけたりして、経験的に身体に負担をかけないように入浴することができる。」として、「浴室内で映像や音声を視聴できるように設置された映像表示部または音声出力部のうち少なくともひとつからなる視聴手段と、該視聴手段の使用状態を検知する使用検知手段と、該使用検知手段の検知に基づいて起動するタイマと、該タイマの計時時間が所定時間を超えると使用者へ報知する報知手段と、から構成される」浴室が公開されている。
【００１０】
また、特開２００３−１９０８２号公報（特許文献２）では、のぼせ防止のために「湯の温度や、湯に漬かっている時間を考慮して形成されているのが望ましい。なぜなら高温湯でも入浴時間が短い場合はのぼせることが少なく、又逆に湯の温度が低くても長時間入浴していると、のぼせる場合があるからである。」として「入浴者の頭部に冷風を吹付けるための吹出し部を備えてなるのぼせ防止機能付き風呂装置」が開示されている。
【００１１】
また、特開平５−２６４１０５号公報（特許文献３）には、「入浴者により好みの湯温が異なっても浴槽内の湯温や湯量を変えることなく好みの温熱感が得られ、長時間の入浴においても、のぼせ等を起こさない安全で健康的な入浴装置」を提供することを目的として、「浴槽本体と、浴槽本体と一体的に装着された複数の輻射熱供給体と、輻射熱供給体の輻射能力を制御する制御手段とを備えたもの」が開示されている。
【先行技術文献】
【特許文献】
【００１２】
【特許文献１】特開２００３−１０６６５０号公報
【特許文献２】特開２００３−１９０８２号公報
【特許文献３】特開平５−２６４１０５号公報
【非特許文献】
【００１３】
【非特許文献１】ｈｔｔｐ：／／ｗｗｗ．ｊｐｈ−ｒｉ．ｏｒ．ｊｐ／ｍｅｍｂｅｒ／ｑａ／ｑａ０３．ｈｔｍｌ
【非特許文献２】ｈｔｔｐ：／／ｄｅｔａｉｌ．ｃｈｉｅｂｕｋｕｒｏ．ｙａｈｏｏ．ｃｏ．ｊｐ／ｑａ／ｑｕｅｓｔｉｏｎ＿ｄｅｔａｉｌ／ｑ１２３９１９１０２２
【非特許文献３】ｈｔｔｐ：／／ｗｗｗ．ｏｎｓｅｎ−ｆｏｒｕｍ．ｊｐ／ｃｏ／ｃｏｌｕｍｎ／ｂａｔｈｒｏｏｍ／ｍｏｋｕｔｅｋｉｂｅｔｓｕｋｅｎｋｏｎｙｕｙｏｋｕｈｏ．ｈｔｍｌ
【発明の概要】
【発明が解決しようとする課題】
【００１４】
本発明が解決しようとする課題は、比較的高温の湯に入浴することが容易である入浴補助装置としての浴用浮遊体を提供することである。本発明において「比較的高温」とは４２〜４３℃程度の温湯を意味し（最適温度は４３℃である）、「長時間」とは短時間人でも１０〜２０分、多くの場合は３０〜４０分、長い人では４０分以上１時間程度の入浴が可能であることを意味する（最適時間は３０分内外である）。
【００１５】
さらに、本発明が解決しようとする課題は、比較的高温（４２〜４３℃）の湯に長時間（多くの場合は、３０分から４０分）の入浴を可能することであり、浮遊体の浮力により両手を湯面より上に出しておき、両手を冷却することにより高温長時間入浴を可能にし、心臓に戻る血液の過熱を防止しながら血液循環を長時間継続しながら身体の芯までを暖め、これにより、人間が本来有している自然治癒力を高める（身体の中の「気」を高める）浴用ボールを提供するものである。
【課題を解決するための手段】
【００１６】
本発明の浴用浮遊体は、入浴時に使用する浴用浮遊体であって、該浴用浮遊体の外観形状は概略球形であり、入浴時は左右の両手で当該浴用浮遊体を挟み持って入浴するものであり、当該浴用浮遊体には左右の両手の指及び掌が引っかかる引っ掛かり部が形成されており、該左右の両手の指及び掌が引っかかる引っ掛かり部は、前記浴用浮遊体の外表面に左右両手の手形形状凹部によって形成され、該左右両手の手形形状凹部は指の引っ掛かり凹部と掌の引っ掛かり凹部とが形成され、さらに指と掌が跨って安定する凸部が形成されており、前記浴用浮遊体の外表面の手形形状凹部に左右の両手を引っ掛けることにより、当該浴用浮遊体の浮力により浴槽内で両手を湯面より上に出しておくことを特徴とする。
【発明の効果】
【００２１】
本発明は、以上のような構成により、比較的高温（４２〜４３℃）での長時間（短い人でも１０〜２０分、多くの場合は３０〜４０分、長い人では１程度）の入浴を容易に可能とするものである。
【００２２】
さらに、本発明は、比較的高温での長時間入浴により、身体の芯まで暖めることを可能とし、人間が本来有している自然治癒力を増強して健康増進の効果を高めるものである。
【００２３】
さらに、本発明は、浮力によって両手を湯面より上に長時間出しておくための簡単な手段により、比較的高温で長時間の入浴を可能にして、自然治癒力を高めることを容易にするものである。
【図面の簡単な説明】
【００２４】
【図１】本発明の浴用浮遊体の使用状態を示す図である。
【図２】本発明の浴用浮遊体の外観図であり、（Ａ）は上面図、（Ｂ）は側面図である。
【図３】本発明の中空の浴用浮遊体の断面図であり、（Ａ）は指の引っ掛かり部が凹部により形成されたものであり、（Ｂ）は指の引っ掛かり部が凸部により形成されたものである。
【図４】本発明の中実の浴用浮遊体の断面図であり、（Ａ）は指の引っ掛かり部が凹部により形成されたものであり、（Ｂ）は指の引っ掛かり部が凸部により形成されたものである。
【発明を実施するための形態】
【実施例】
【００２５】
以下、図面を用いて本発明の実施例について説明する。図１は、本発明の浴用浮遊体の使用状態を示す図である。
【００２６】
図１は、使用者Ａが浴槽２０内で本発明の球形の浴用浮遊体１０を使用している状態を示している。使用者Ａは、肩まで湯につかり、本発明の浴用浮遊体１０を使って、両手の手首より先を湯面より上に出して入浴している。その際に、使用者Ａは、本発明の球形の浴用浮遊体１０を両手で抱えるようにしている。つまり、両手を湯面上に上げている力を浴用浮遊体１０の浮力により得ているものである。これにより、温湯が比較的高温（４２〜４３℃）であっても、使用者Ａは、リラックスした状態で常に両手を温湯の上に上げておくことが可能であり、それにより両手の部分で冷やされた血液が循環することになり、「温かい血液が頚動脈を経て脳内を温め過ぎる（非特許文献１）」こともなく、長時間の入浴が可能となり、身体の芯までを暖めて人間本来有している自然治癒力を高める（つまり「気」を高める）ことができるものである。
【００２７】
図２に、本発明の一実施例である球形の浴用浮遊体１０の外観図を示し、（Ａ）及び（Ｂ）に上面図及び側面図を示している。球形の浴用浮遊体１０の外表面には左右の手形形状１１，１２が大きく描かれており、その左右の手形形状１１，１２には、各々、同じ巻き方向の右巻き又は左巻きの渦１３，１３（図示は右巻き渦）が描かれている。左右の手形形状１１，１２は、一般的な日本人の大人（男性）の手の大きさに合わせて描くのが良いが、両手に力を入れずにリラックスした状態で、少し指の間隔が開き、各指もシャキッと伸ばし切った状態ではなく、力を入れずに関節が少し曲がった状態で描くのが好ましい。
【００２８】
この左右の手形形状１１，１２は、使用者Ａが浴用浮遊体１０を使用する際に、この浴用浮遊体１０を両手で抱え込んで使用する場合の左右の手の位置を教示するものであり、その左右の手形形状１１，１２のなす角度θは約１８０°であることが好ましい。それにより、浴用浮遊体１０の浮力が、リラックスした状態の左右の手の重量を支えることが可能なものである。角度θを１８０°と大きく違えた状態で抱えると、この浴用浮遊体１０は両手の中から飛び出してしまうこともある。これは、浴用浮遊体１０の大きさとも関係がでてくる。例えば、浴用浮遊体１０が球形であり、その直径が使用者の手のサイズに比較して大きい場合には、前記θの角度が１８０°に近く構成する必要性が高いが、浴用浮遊体１０の直径が使用者の手のサイズに比較して小さい場合には、浴用浮遊体１０が両方の掌で包まれてしまい、前記θの角度はそれ程に気にするものではない。
【００２９】
左右の手形形状１１，１２は、それぞれの手の位置を教示するためのものであるので、単に、浴用浮遊体１０の外表面に描いたものであっても良い。しかしながら、単に浮遊体１０の外表面に手形を描いただけでは、長時間同じ姿勢で入浴していると浮遊体１０から手が滑ることもある。そこで、本発明においては、両手を浴用浮遊体１０に対して安定して載置して置けるようにするために、両手の指が引っかかる引っ掛かり部を設けることを考えた。
【００３０】
浴用浮遊体１０に対して指が引っかかる引っ掛かり部１４，１４は、凹部或いは凸部により形成される。中空の浴用浮遊体１０の引っ掛かり凹部１４は、その断面形状が図３（Ａ）に示されており、浴用浮遊体１０の外表面上に、指の引っ掛かり凹部１５と掌の引っ掛かり凹部１６とが形成されている。この場合は、中空の浴用浮遊体１０の外皮の厚みと各凹部１５，１６の深さとの関係は考慮される必要がある。また、中空の浴用浮遊体１０の引っ掛かり凸部１４は、その断面形状が図３（Ｂ）に示されており、指が引っ掛かり、指と掌が跨って安定するように凸部１７が形成されている。
【００３１】
これに対して、中実の浴用浮遊体１０’の引っ掛かり凹部１４’は、その断面形状が図４（Ａ）に示されており、浴用浮遊体１０’の外表面上に、指の引っ掛かり凹部１５’と掌の引っ掛かり凹部１６’とが形成されている。この場合は、浴用浮遊体１０’は中実であるために、各凹部１５’，１６’の深さは自由に設計することができる。また、中空の浴用浮遊体１０’の引っ掛かり凸部１４’は、その断面形状が図４（Ｂ）に示されており、指が引っ掛かり、指と掌が跨って安定するように凸部１７’が形成されている。
【００３２】
左右の手形形状１１，１２に描かれている右巻き又は左巻きの渦１３，１３（図示は右巻きの渦）については、渦の効果は諸説あり、効果は求められてはいるものの、必ずしもその現象は解明されているとは言い切れないが、幾人ものテストにより効果があるという証言より、各手形形状１１，１２内に描いているものである。
【００３３】
さらに、本発明の浴用浮遊体の外観形状は、浮力を得るためだけの浮遊体としては図１乃至図４に示すように球形でなくとも良い。例えば、ラグビーボールのように楕円形でも、ピラミッドを倒立させて形でも良い。しかし、それぞれの浴用浮遊体を支える左右の手形形状１１，１２のなす角度θは約１８０°であることが好ましい。ただし、高温の長時間入浴をリラックスして過ごし、体の芯から温まるためには、浮遊体の形状は球形が最も好ましい。
【符号の説明】
【００３４】
Ａ  使用者
１０  浴用浮遊体
１１，１２  手形
１３  右巻き又は左巻きの渦
２０  浴槽
【図１】
0005638830.tif 000002
【図２】
0005638830.tif 000003
【図３】
0005638830.tif 000004
【図４】
0005638830.tif 000005